(57)【要約】【課題】ＰＴ及びＣＴを検査する際の準備作業及び終了作業を大幅に簡素化させるようにした、路上設置形変圧器装置のＰＴ・ＣＴ検査用器具を提供する。【解決手段】電力ヒューズ１２を収納するヒューズ収納本体１５ａ及びヒューズ把持本体１５ｂからなるヒューズホルダ１５を備え、電力用変圧器１３の一次側で電力量を計測するためのＰＴ１８、ＣＴ１９がこの変圧器に充填された絶縁油１３ｂ中に設けられた路上設置形変圧器装置に対するＰＴ、ＣＴの検査が、ヒューズ把持本体をヒューズ収納本体から抜いた状態で行えるように、導電性の棒状部材１ａに形成された一端に負荷側固定電極１５b2と摺動接触されるように電極接続部１ｂが形成され、他端に検査電圧が印加されるように電圧印加部１ｃが形成されると共に、ヒューズ収納本体に着脱自在となるように形成される。【選択図】図１
2008058140.tif 000002
【特許請求の範囲】
【請求項１】
三相開閉器と、三相分からなる電力ヒューズと、絶縁油が充填された電力用変圧器とを備えて外箱に収容され、
前記三相開閉器と電力ヒューズとが前記電力用変圧器の一次側に電源側から順次に接続され、
前記電力ヒューズを収納するヒューズ収納本体及びヒューズ把持本体からなるヒューズホルダの前記ヒューズ収納本体が前記電力用変圧器の変圧器ケースを貫通させた状態で取り付けられ、
前記電力ヒューズの電源側電極及び負荷側電極に対応してそれぞれ摺動接触されるように前記ヒューズ収納本体に電源側固定電極及び負荷側固定電極が設けられ、
前記ヒューズ把持本体は前記電力ヒューズの電源側電極を把持るように形成されると共に、前記ヒューズ収納本体に出し入れ自在に取り付けられ、
前記開閉器の電源側ブッシングにはコネクタ付引き込みケーブルが接続され、
前記開閉器の負荷側ブッシングと前記ヒューズ収納本体に設けられた電源側固定電極とが接続され、
前記負荷側固定電極と前記電力用変圧器の一次側（高圧側）とが接続され、
前記絶縁油中には電力量を計測するための計器用変成器（ＰＴ）及び計器用変流器（ＣＴ）が設けられ、かつ、前記計器用変成器は前記電力用変圧器の一次側電圧が出力されるように接続され、
前記計器用変流器は前記電力用変圧器の一次側電流が出力されるように設けられた路上設置形変圧器装置のＰＴ・ＣＴ検査用器具であって、
前記計器用変成器及び計器用変流器の検査が前記ヒューズ把持本体を前記ヒューズ収納本体から抜いた状態で行えるように、導電性の棒状部材からなり、前記棒状部材に形成された一端に前記負荷側固定電極と摺動接触されるように電極接続部が形成され、他端に検査電圧が印加されるように電圧印加部が形成されると共に、前記ヒューズ収納本体に着脱自在となるように形成された、路上設置形変圧器装置のＰＴ・ＣＴ検査用器具。
【請求項２】
前記棒状部材を貫通させて前記電極接続部と前記電圧印加部との間に支持部材が設けられ、
前記電極接続部が前記負荷側固定電極に嵌まり込んだ状態で前記支持部材が前記ヒューズ収納本体の開口部に支持されるように形成された、請求項１に記載の路上設置形変圧器装置のＰＴ・ＣＴ検査用器具。
【請求項３】
前記負荷側固定電極と前記電力用変圧器の一次側との開開を前記変圧器ケース外部から可能とする検査補助用三相開閉器が設けられた請求項１または２に記載の路上設置形変圧器装置のＰＴ・ＣＴ検査用器具。
【発明の詳細な説明】
【技術分野】
【０００１】
本発明は、三相開閉器と三相分からなる電力ヒューズと絶縁油が充填された電力用変圧器とを備えて外箱内に収容され、電力ヒューズを収納するヒューズホルダが電力用変圧器の変圧器ケースを貫通させた状態で取り付けられ、絶縁油中に電力量を計測するためのＰＴ、ＣＴが設けられた路上設置形変圧器装置のＰＴ・ＣＴ検査用器具に関するものである。
【背景技術】
【０００２】
路上設置形変圧器装置は、特許文献１に示されるように、一般的に変圧器、三相分からなる電力ヒューズ、三相分からなる開閉装置等を備えて、外箱内に収容されており、開閉装置と電力ヒューズとが電力用変圧器の一次側（高圧側）に電源側から順次に接続されている。
【０００３】
電力用変圧器の電源側には通常、過負荷電流や負荷側の短絡事故等による短絡電流から変圧器を保護するために、電力ヒューズが接続されている。この電力ヒューズは、変圧器ケースの側面上部を貫通させた状態で取り付けられた電力用ヒューズホルダに収納されて保持されている。
【０００４】
一方、路上設置形変圧器装置に電力量計を設ける場合がある。しかも電力用変圧器の一次側で電力量を計測する場合がある。この電力量の計測を上記のような路上設置形変圧器装置に適用した路上設置形変圧器装置の概略構成図は図３に示され、また、この路上設置形変圧器装置の電気回路図は図４に示される。なお、各図は一相分のみを表示している。  
【０００５】
図示するように、三相開閉器１１と、電力ヒューズ１２と、電力用変圧器１３とを備えて、外箱１４内に収容されており、電力用変圧器１３は図示しない変圧器本体が変圧器ケース１３ａ内に収容されて構成され、三相開閉器１１は図示しない開閉器本体が開閉器ケース１１ａ内に収容されて構成され、開閉器ケース１１ａが変圧器ケース１３ａの側面に取り付けられている。変圧器ケース１３ａ内には絶縁油１３ｂとして、鉱物油等が充填され、開閉器ケース１１ａ内には絶縁ガスとして、ＳＦ６ ガス等が封入されている。三相開閉器１１には電源側ブッシング１１ｂ及び負荷側ブッシング１１ｃが設けられている。
【０００６】
電力ヒューズ１２はヒューズホルダ１５に収納されており、ヒューズホルダ１５は図５（Ａ）（Ｂ）に示されるように、ヒューズ収納本体１５ａとヒューズ把持本体１５ｂとからなり、ヒューズ把持本体１５ｂはヒューズ収納本体１５ａに出し入れ自在に取り付けられている。ヒューズ収納本体１５ａは、有底を有する絶縁性の円筒部材１５a1と電源側固定電極１５a2と負荷側固定電極１５a3とからなり、電力ヒューズ１２が円筒部材１５a1の長手方向に沿って完全に収納された状態での電力ヒューズ１２の電源側電極１２ａに対向する位置の内周面には、リング状の電源側固定電極１５a2が取り付けられている。また、電力ヒューズ１２が円筒部材１５a1の長手方向に沿って完全に収納された状態での電力ヒューズ１２の負荷側電極１２ｂに対向する位置には、電力ヒューズ１２の負荷側電極１２ｂを摺動接触させるために、チューリップ状に形成された負荷側固定電極１５a3が取り付けられている。この電力ヒューズ収納本体１５ａは、変圧器ケース１３ａの側面上部を貫通させた状態で、円筒部材１５a1の開口側が通るような孔を設けた押さえ板１６により、変圧器ケース１３ａにネジ止めされて取り付けられている。
【０００７】
電力ヒューズ把持本体１５ｂは、絶縁性の継手部材１５b1、電極把持部材１５b2、可動側電極１５b3及び蓋部材１５b4からなり、継手部材１５b1の長手方向の一端には、その長手方向に電力ヒューズ１２が向けられた状態で電力ヒューズ１２の電源側電極１２ａをネジ止めにより把持するように形成された電極把持部材１５b2が取り付けられ、また、その他端には電力ヒューズ収納本体１５ａの開口部を閉鎖するための蓋部材１５b4が取り付けられている。電極把持部材１５b2は、電力ヒューズ１２の電源側電極１２ａと導通させると共に、電源側固定電極１５a2の内周に摺動接触させるトロイダルコイル状の電源側可動電極１５b3が外周に巻き付けられるように形成されている。
【０００８】
三相開閉器１１の電源側ブッシング１１ｂにはコネクタ付引き込みケーブル１７が接続され、三相開閉器１１の負荷側ブッシング１１ｃは電源側固定電極１５a2と接続され、負荷側固定電極１５a3と電力用変圧器１３の一次側コイル１３ｃとが接続されている。変圧器ケース１３ａに充填された絶縁油１３ｂ中には、電力量を計測するための計器用変成器（以下、ＰＴ）１８、計器用変流器（以下、ＣＴ）１９が設けられ、かつ、ＰＴ１８は電力用変圧器１３の一次側コイル１３ｃの両端電圧が出力されるように接続され、ＣＴ１９は電力用変圧器１３の一次側電流が出力されるように設けられている。
【０００９】
ＰＴ１８及びＣＴ１９の各出力を外部に取り出すために、図４に示されるように、変圧器ケース１３ａにＰＴ及びＣＴ用貫通端子２０，２１が設けられており、この貫通端子に電力量計２２が接続されている。
【００１０】
ＰＴ１８及びＣＴ１９は電力用変圧器１３の一次側の電圧が高くなれば、ＰＴ、ＣＴの耐圧を上げることになり、さらにＰＴ、ＣＴを気中仕様にすると、寸法が大きくなり、コンパクト化の要求に対応できないために、ＰＴ、ＣＴを油中仕様にして小型化し、変圧器ケース１３ａに充填された絶縁油１３ｂ中に設置している。
【００１１】
ＰＴ１８及びＣＴ１９を変圧器ケース１３ａの油中に設けると、熱による劣化が促進されてＰＴ、ＣＴが故障する虞があるので、定期的に検査する必要がある。
【００１２】
検査する際には、路上設置形変圧器装置の上位系統の開閉器を「切」状態にして路上設置形変圧器装置への電力供給を停止した後、コネクタ付引き込みケーブル１７を取り外すと共に、電力用変圧器１３の二次側ブッシングに接続されている、図示しないケーブルを外し、三相開閉器１１の電源側ブッシング１１ｂから規定の検査電圧を印加し、ＰＴ１８の二次側にＰＴの変圧比に対応する電圧が出力されているかを確認する。また、そのときの電流がＣＴ１９の二次側にＣＴの変流比に対応する電流が出力されているかを確認する。
【特許文献１】特開平９−２８２９８５号公報（図１）
【発明の開示】
【発明が解決しようとする課題】
【００１３】
しかしながら、従来の検査では、三相開閉器１１の電源側ブッシング１１ｂに接続されているコネクタ付引き込みケーブル１７及び電力用変圧器１３の二次側ブッシングに接続されているケーブルの脱着が必要となるため、検査の準備作業及び終了作業が繁雑になるという問題がある。また、検査回路に電力ヒューズ１２が接続されているため、電力ヒューズの抵抗分が含まれ、ＰＴ１８の二次側出力に測定誤差が含まれるという問題があり、また、そのときの電流によるＣＴ１９の二次側出力に測定誤差が含まれるという問題がある。
【００１４】
本発明の目的は、ＰＴ及びＣＴを検査する際の準備作業及び終了作業を大幅に簡素化させるようにした、路上設置形変圧器装置のＰＴ・ＣＴ検査用器具を提供することにある。
【課題を解決するための手段】
【００１５】
第１の発明は、三相開閉器と、三相分からなる電力ヒューズと、絶縁油が充填された電力用変圧器とを備えて外箱に収容され、三相開閉器と電力ヒューズとが電力用変圧器の一次側に電源側から順次に接続され、電力ヒューズを収納するヒューズ収納本体及びヒューズ把持本体からなるヒューズホルダのヒューズ収納本体が電力用変圧器の変圧器ケースを貫通させた状態で取り付けられ、電力ヒューズの電源側電極及び負荷側電極に対応してそれぞれ摺動接触されるようにヒューズ収納本体に電源側固定電極及び負荷側固定電極が設けられ、ヒューズ把持本体は電力ヒューズの電源側電極を把持るように形成されると共に、ヒューズ収納本体に出し入れ自在に取り付けられ、開閉器の電源側ブッシングにはコネクタ付引き込みケーブルが接続され、開閉器の負荷側ブッシングとヒューズ収納本体に設けられた電源側固定電極とが接続され、負荷側固定電極と電力用変圧器の一次側（高圧側）とが接続され、絶縁油中には電力量を計測するための計器用変成器（ＰＴ）及び計器用変流器（ＣＴ）が設けられ、かつ、計器用変成器は電力用変圧器の一次側電圧が出力されるように接続され、計器用変流器は電力用変圧器の一次側電流が出力されるように設けられた路上設置形変圧器装置のＰＴ・ＣＴ検査用器具を対象とし、計器用変成器及び計器用変流器の検査がヒューズ把持本体をヒューズ収納本体から抜いた状態で行えるように、導電性の棒状部材からなり、棒状部材に形成された一端に負荷側固定電極と摺動接触されるように電極接続部が形成され、他端に検査電圧が印加されるように電圧印加部が形成されると共に、ヒューズ収納本体に着脱自在となるように形成されるようにしたものである。  
【００１６】
第２の発明は、第１の発明に加えて、棒状部材を貫通させて電極接続部と電圧印加部との間に支持部材が設けられ、電極接続部が負荷側固定電極に嵌まり込んだ状態で支持部材がヒューズ収納本体の開口部に支持されるように形成されるようにしたものである。
【００１７】
第３の発明は、第１または第２の発明に加えて、負荷側固定電極と電力用変圧器の一次側との開開を変圧器ケース外部から可能とする検査補助用三相開閉器が設けられるようにしたものである。
【発明の効果】
【００１８】
以上のように、第１の発明によれば、ＰＴ及びＣＴを検査する際に、コネクタ付引き込みケーブルを脱着させる必要がなくなるので、検査の準備作業及び終了作業を大幅に簡素化させることができる。また、電力ヒューズの抵抗分を介在させることなく電力用変圧器の一次側から検査電圧を印加させるので、ＰＴ及びＣＴの二次側出力を精度よく測定することができる。
【００１９】
第２の発明によれば、ＰＴ・ＣＴ検査用器具をヒューズ収納本体１５ａに装着させた際に、棒状部材が固定されるので、検査作業を安定して行うことができる。
【００２０】
第３の発明によれば、ＰＴ及びＣＴを検査する際に、電力用変圧器の二次側ブッシングに接続されているケーブルを脱着させる必要がなくなるので、検査の準備作業及び終了作業をさらに大幅に簡素化させることができる。
【発明を実施するための最良の形態】
【００２１】
図１は、本発明に係る路上設置形変圧器装置のＰＴ・ＣＴ検査用器具の一実施形態を示す概略構成図、図２は本発明に係る路上設置形変圧器装置のＰＴ・ＣＴ検査用器具を路上設置形変圧器装置に適用している状態を示す図である。ＰＴ・ＣＴ検査用器具１は図１に示すように、導電性の棒状部材１ａと、棒状部材１ａの一端に形成された導電性の電極接続部１ｂと、その他端に検査電圧が印加されるように形成された電圧印加部１ｃと、電極接続部１ｂと電圧印加部１ｃとの間の棒状部材１ａを覆うように設けられた筒状の絶縁部材１ｄと、棒状部材１ａを貫通させて電極接続部１ｂと電圧印加部１ｃとの間に設けられた、例えば円盤状の支持部材１ｅとからなる。
【００２２】
電極接続部１ｂは棒状部材１ａに適宜に取り付けられ、電力ヒューズ１２の負荷側電極１２ｂと同形状に形成され、電圧印加部１ｃはネジ端子状に形成され、支持部材１ｅは電極接続部１ｂが負荷側固定電極１２ｂに完全に嵌まり込んだ状態でヒューズ収納本体１５ａの開口部に固定して支持されるように形成されている。絶縁部材１ｄはＦＲＰなどの有機材料からなり、支持部材１ｅはＥＰＤＭなどの有機材料からなる。
【００２３】
ＰＴ１８及びＣＴ１９を検査する際には、路上設置形変圧器装置の上位系統の開閉器を「切」状態にして路上設置形変圧器装置への電力供給を停止させるか、または、三相開閉器１１を「切」状態にした後、図２に示すように、ヒューズ収納本体１５ａの負荷側固定電極１５a3と電力用変圧器１３の一次側との開開を変圧器ケース１３ａの外部から可能とするように、変圧器ケース１３ａ内に設けられた検査補助用三相開閉器２３を「切」状態にし、ヒューズ把持本体１５ｂをヒューズ収納本体１５ａから引き抜き、ＰＴ・ＣＴ検査用器具１をヒューズ収納本体１５ａに押し込み、電極接続部１ｂを負荷側固定電極１５a3に完全に嵌め込んだ状態にする。この状態で電圧印加部１ｃから規定の検査電圧を印加し、ＰＴ１８の二次側にＰＴの変圧比に対応する電圧が出力されているかを、貫通端子２０，２１から電力量計２２を外し、貫通端子２０に電圧計を接続して測定する。また、そのときの電流がＣＴ１９の二次側にＣＴの変流比に対応する電流が出力されているかを、貫通端子２０，２１から電力量計２２を外し、貫通端子２１に電流計を接続して測定する。  
【００２４】
このように、ＰＴ１８及びＣＴ１９を検査する際に、コネクタ付引き込みケーブル１７及び電力用変圧器１３の二次側ブッシングに接続されているケーブルを脱着させる必要がなくなり、また、電力ヒューズの抵抗分を介在させることなく電力用変圧器１３の一次側から検査電圧を印加させることができる。さらに、検査作業を安定して行うことができる。
【００２５】
上記の実施形態では、ＰＴ１８及びＣＴ１９は別々に構成されているが、一体化したＰＣＴでもよい。また、棒状部材１ａは筒状に形成した絶縁部材１ｄで覆うようにしたが、樹脂材料の絶縁部材で一体化して覆うようにしてもよい。さらに、絶縁部材１ｄは変圧器の一次側電圧に応じて無くてもよく、または、その肉厚を変化させればよい。さらにまた、電極接続部１ｂは電力ヒューズ１２の負荷側電極１２ｂと同形状に形成したが、これに限定されるものではない。
【図面の簡単な説明】
【００２６】
【図１】本発明に係る路上設置形変圧器装置のＰＴ・ＣＴ検査用器具の一実施形態を示す概略構成図である。
【図２】本発明に係る路上設置形変圧器装置のＰＴ・ＣＴ検査用器具を路上設置形変圧器装置に適用している状態を示す図である。
【図３】電力量の計測を行うようにした従来の路上設置形変圧器装置の概略構成図である。
【図４】図３に示される路上設置形変圧器装置の電気回路図である。
【図５】（Ａ）は、電力用ヒューズホルダを構成するヒューズ収納本体を示す縦断面図、（Ｂ）は電力用ヒューズホルダを構成する電力ヒューズ把持本体を示す側面図である。
【符号の説明】
【００２７】
１ａ  棒状部材
１ｂ  電極接続部
１ｃ  電圧印加部
１ｅ  支持部材
１１  三相開閉器
１２  電力ヒューズ
１３  電力用変圧器
１４  外箱
２２  開閉器ケース
１１  三相開閉器
１１ｂ  電源側ブッシング
１１ｃ  負荷側ブッシング
１２  電力ヒューズ
１２ａ  電源側電極
１２ｂ  負荷側電極
１３  電力用変圧器
１３ａ  変圧器ケース
１３ｂ  絶縁油
１４  外箱
１５  ヒューズホルダ
１５ａ  ヒューズ把持本体
１５a2  電源側固定電極
１５b2  負荷側固定電極
１５ｂ  ヒューズ把持本体
１７  コネクタ付引き込みケーブル
１８  計器用変成器（ＰＴ）
１９  計器用変流器（ＣＴ）
２３  検査補助用三相開閉器
【図１】
2008058140.tif 000003
【図２】
2008058140.tif 000004
【図３】
2008058140.tif 000005
【図４】
2008058140.tif 000006
【図５】
2008058140.tif 000007